(57)【要約】【課題】  チップ部品を保護すると共にコアの固定性を増して信頼性を高めた三端子フィルタを提供する。【解決手段】  チップ部品は、第一コア４に接合されて一体となった金属フレーム端子と、金属端子６に接合されている。金属端子６が第一コア押さえ片６２Ａ及び第二コア押さえ片６２Ｂで第一コア４を狭持した状態で、第一コア押さえ片６２Ａより延出される第一位置ずれ防止片６２Ｃ及び第二コア押さえ片６２Ｂより延出される第二位置ずれ防止片６２Ｄをハンダ６２Ｅ、６２Ｆでそれぞれ平板部６１に接合されてい上野5-23-14る。【選択図】図４
2006262347.tif 000002
【特許請求の範囲】
【請求項１】
一対の外部電極を有するチップ部と、
第一脚部が設けられた第一コア部と、該第一脚部に並設された第二脚部が設けられた第二コア部とを有し、該第一脚部と該第二脚部との間に該チップ部品を収容するスペースを画成するコアと、
該チップ部品の一方の外部電極と接合する金属フレーム端子と、
該チップ部品の他方の外部電極と接合する金属端子とを備えた三端子フィルタであって、
該第一コア部には、該第一脚部に設けられ該第一脚部から該第二脚部に向かう方向に延びる第一被挟持面と、該第一被挟持面に対向する第二被挟持面と、該第一被挟持面と該第二被挟持面とに交差する平面上にあるとともに、該スペースの内壁をなす第一スペース画成面とが設けられ、
該金属端子は、平板部と、該平板部の両側辺のそれぞれの一方側に設けられて該平板部と鋭角を成し該第一被挟持面及び該第二被挟持面をそれぞれ狭持する一対の第一コア押さえ片及び第二コア押さえ片と、該平板部の第一縁部と該第一コア押さえ片の縁部とに連結されて該第一スペース画成面に当接する第一位置ずれ防止片と、が設けられていることを特徴とする三端子フィルタ。
【請求項２】
該金属端子は、該平板部の第一縁部と該第一コア押さえ片の縁部とを連結する第一平板部押さえ片連結部と、該第一コア押さえ片の縁部と該第一位置ずれ防止片の縁部とを連結する第一押さえ片ずれ防止片連結部と、該第一位置ずれ防止片の縁部と該平板部の第一縁部とを連結する第一ずれ防止片平板部連結部とを有し、該第一平板部押さえ片連結部、該第一押さえ片ずれ防止片連結部、該第一ずれ防止片平板部連結部は折り曲げ加工又は接合により構成されることを特徴とする請求項１に記載の三端子フィルタ。
【請求項３】
該第一被挟持面及び該第二被挟持面は、該第一脚部及び該第二脚部が延出する方向に延び、
該金属端子には、該平板部の第二縁部と該第二コア押さえ片の縁部とに連結されて該第一スペース画成面に当接する第二位置ずれ防止片が設けられていることを特徴とする請求項１または請求項２に記載の三端子フィルタ。
【請求項４】
該金属端子は、該平板部の第二縁部と該第二コア押さえ片の縁部とを連結する第二平板部押さえ片連結部と、該第二コア押さえ片の縁部と該第二位置ずれ防止片の縁部とを連結する第二押さえ片ずれ防止片連結部と、該第二位置ずれ防止片の縁部と該平板部の第二縁部とを連結する第二ずれ防止片平板部連結部とを有し、該第二平板部押さえ片連結部、該第二押さえ片ずれ防止片連結部、該第二ずれ防止片平板部連結部は折り曲げ加工又は接合により構成されることを特徴とする請求項３に記載の三端子フィルタ。
【請求項５】
該第二コア部には、該第二脚部に設けられ該第二脚部から該第一脚部に向かう方向に延びる第三被挟持面と、該第三被挟持面に対向する第四被挟持面と、該第三被挟持面と該第四被挟持面とに交差する平面上にあるとともに、該スペースの内壁をなす第二スペース画成面とが設けられ、
該金属端子は、該両側辺のそれぞれの他方側に設けられて該平板部と鋭角を成し該第三被挟持面及び該第四被挟持面をそれぞれ狭持する一対の第三コア押さえ片及び第四コア押さえ片と、該平板部の第三縁部と該第三コア押さえ片の縁部とに連結されて該第二スペース画成面に当接する第三位置ずれ防止片と、が設けられていることを特徴とする請求項１から請求項４のいずれか一に記載の三端子フィルタ。
【請求項６】
該金属端子は、該平板部の第三縁部と該第三コア押さえ片の縁部とを連結する第三平板部押さえ片連結部と、該第三コア押さえ片の縁部と該第三位置ずれ防止片の縁部とを連結する第三押さえ片ずれ防止片連結部と、該第三位置ずれ防止片の縁部と該平板部の第三縁部とを連結する第三ずれ防止片平板部連結部とを有し、該第三平板部押さえ片連結部、該第三押さえ片ずれ防止片連結部、該第三ずれ防止片平板部連結部は折り曲げ加工又は接合により構成されることを特徴とする請求項５に記載の三端子フィルタ。
【請求項７】
該第三被挟持面及び該第四被挟持面は、該第一脚部及び該第二脚部が延出する方向に延び、
該金属端子には、該平板部と該第四コア押さえ片とに交わって接合されて該第二スペース画成面に当接する第四位置ずれ防止片が設けられていることを特徴とする請求項１から請求項６のいずれか一に記載の三端子フィルタ。
【請求項８】
該金属端子は、該平板部の第四縁部と該第四コア押さえ片の縁部とを連結する第四平板部押さえ片連結部と、該第四コア押さえ片の縁部と該第四位置ずれ防止片の縁部とを連結する第四押さえ片ずれ防止片連結部と、該第四位置ずれ防止片の縁部と該平板部の第四縁部とを連結する第四ずれ防止片平板部連結部とを有し、該第四平板部押さえ片連結部、該第四押さえ片ずれ防止片連結部、該第四ずれ防止片平板部連結部は折り曲げ加工又は接合により構成されることを特徴とする請求項７に記載の三端子フィルタ。
【発明の詳細な説明】
【技術分野】
【０００１】
本発明は三端子フィルタに関する。
【背景技術】
【０００２】
従来からインダクタと、チップ部品、例えばコンデンサとを一つの部品内部で組み合わせたＬＣフィルタである三端子フィルタが公知となっており、この三端子フィルタは、入力端子、出力端子、及びグラウンド端子の三端子を備えている（例えば、特許文献１参照）。よって、入力端子、出力端子、及びグラウンド端子をそれぞれ基板上に設けられた電極に電気的に接合する必要がある。
【特許文献１】実開平４−５５８２７号公報
【発明の開示】
【発明が解決しようとする課題】
【０００３】
しかし従来の三端子フィルタでは、グラウンド端子であるコンデンサの電極をそのまま電極への接続箇所としているため、基板上の電極に電気的に接続するまでコンデンサの電極部分の保護は十分ではなかった。またコンデンサの電極部分を直に基板に接合した際に三端子フィルタに何らかの応力が加えられた場合には、コンデンサに直接応力が加えられてコンデンサが力学的に破壊されるおそれがあった。
【０００４】
そこで、本発明は、チップ部品を保護すると共にコアの固定性を増して信頼性を高めた三端子フィルタを提供することを目的とする。
【課題を解決するための手段】
【０００５】
上記目的を達成するために本発明は、一対の外部電極を有するチップ部と、第一脚部が設けられた第一コア部と、第一脚部に並設された第二脚部が設けられた第二コア部とを有し、第一脚部と第二脚部との間にチップ部品を収容するスペースを画成するコアと、チップ部品の一方の外部電極と接合する金属フレーム端子と、チップ部品の他方の外部電極と接合する金属端子とを備えた三端子フィルタであって、第一コア部には、第一脚部に設けられ第一脚部から第二脚部に向かう方向に延びる第一被挟持面と、第一被挟持面に対向する第二被挟持面と、第一被挟持面と第二被挟持面とに交差する平面上にあるとともに、スペースの内壁をなす第一スペース画成面とが設けられ、金属端子は、平板部と、平板部の両側辺のそれぞれの一方側に設けられて平板部と鋭角を成し第一被挟持面及び第二被挟持面をそれぞれ狭持する一対の第一コア押さえ片及び第二コア押さえ片と、平板部の第一縁部と第一コア押さえ片の縁部とに連結されて第一スペース画成面に当接する第一位置ずれ防止片と、が設けられている三端子フィルタを提供する。
【０００６】
このような構成によると、チップ部品が金属端子を介して基板上の回路に電気的に接合される。またチップ部品を接合した金属端子が第一コア部に狭持される。そして第一コア部を狭持する部分である第一コア押さえ片は第一位置ずれ防止片と平板部とに連結されているため、拡開することが抑制されている。よって金属端子を回路に電気的に接続した後に、三端子フィルタに応力が掛かったとしても、第一コア部から金属端子が外れるのを抑制し、三端子フィルタ全体として応力に対する耐久性が向上する。
【０００７】
上記構成において、金属端子は、平板部の第一縁部と第一コア押さえ片の縁部とを連結する第一平板部押さえ片連結部と、第一コア押さえ片の縁部と第一位置ずれ防止片の縁部とを連結する第一押さえ片位置ずれ防止片連結部と、第一位置ずれ防止片の縁部と平板部の第一縁部とを連結する第一位置ずれ防止片平板部連結部とを有し、第一平板部押さえ片連結部、第一押さえ片位置ずれ防止片連結部、第一位置ずれ防止片平板部連結部は折り曲げ加工又は接合により構成されることが好ましい。
【０００８】
このような構成によると、第一コア押さえ片及び第一位置ずれ防止片を容易に構成することができる。また金属端子で第一コア部を狭持する際にも平板部と第一コア押さえ片及び第一位置ずれ防止片とが連結されていない状態で狭持することが可能となるため、容易に金属端子で第一コア部を狭持することができる。
【０００９】
また、第一被挟持面及び第二被挟持面は、第一脚部及び第二脚部が延出する方向に延び、金属端子には、平板部の第二縁部と第二コア押さえ片の縁部とに連結されて第一スペース画成面に当接する第二位置ずれ防止片が設けられていることが好ましい。
【００１０】
第一コア部を狭持する部分である第二コア押さえ片は第二位置ずれ防止片と平板部とに連結されているため、拡開するのを抑制されている。相対する第一コア押さえ片も拡開するのを抑制されているため、金属端子を回路に電気的に接続した後に、三端子フィルタに応力が掛かったとしても、第一コア部から金属端子が外れるのを更に抑制し、三端子フィルタ全体として応力に対する耐久性が更に向上する。
【００１１】
また、金属端子は、平板部の第二縁部と第二コア押さえ片の縁部とを連結する第二平板部押さえ片連結部と、第二コア押さえ片の縁部と第二位置ずれ防止片の縁部とを連結する第二押さえ片位置ずれ防止片連結部と、第二位置ずれ防止片の縁部と平板部の第二縁部とを連結する第二位置ずれ防止片平板部連結部とを有し、第二平板部押さえ片連結部、第二押さえ片位置ずれ防止片連結部、第二位置ずれ防止片平板部連結部は折り曲げ加工又は接合により構成されることが好ましい。
【００１２】
このような構成によると、第二コア押さえ片及び第二位置ずれ防止片を容易に構成することができる。また金属端子で第一コア部を狭持する際にも、平板部と第二コア押さえ片及び第二位置ずれ防止片とが連結されていない状態で狭持することが可能となるため、容易に金属端子で第一コア部を狭持することができる。
【００１３】
また第二コア部には、第二脚部に設けられ第二脚部から第一脚部に向かう方向に延びる第三被挟持面と、第三被挟持面に対向する第四被挟持面と、第三被挟持面と第四被挟持面とに交差する平面上にあるとともに、スペースの内壁をなす第二スペース画成面とが設けられ、金属端子は、両側辺のそれぞれの他方側に設けられて平板部と鋭角を成し第三被挟持面及び第四被挟持面をそれぞれ狭持する一対の第三コア押さえ片及び第四コア押さえ片と、平板部の第三縁部と第三コア押さえ片の縁部とに連結されて第二スペース画成面に当接する第三位置ずれ防止片と、が設けられていることが好ましい。
【００１４】
このような構成によると、チップ部品を接合した金属端子が第二コア部に狭持される。そして第二コア部を狭持する部分である第三コア押さえ片は第三位置ずれ防止片と平板部とに連結されているため、拡開するのを抑制されている。よって金属端子を回路に電気的に接続した後に、三端子フィルタに応力が掛かったとしても、第一コア部と共に第二コア部から金属端子が外れるのを抑制し、三端子フィルタ全体として応力に対する耐久性が更に向上する。
また金属端子は、平板部の第三縁部と第三コア押さえ片の縁部とを連結する第三平板部押さえ片連結部と、第三コア押さえ片の縁部と第三位置ずれ防止片の縁部とを連結する第三押さえ片位置ずれ防止片連結部と、第三位置ずれ防止片の縁部と平板部の第三縁部とを連結する第三位置ずれ防止片平板部連結部とを有し、第三平板部押さえ片連結部、第三押さえ片位置ずれ防止片連結部、第三位置ずれ防止片平板部連結部は折り曲げ加工又は接合により構成されることが好ましい。
【００１５】
このような構成によると、第三コア押さえ片及び第三位置ずれ防止片を容易に構成することができる。また金属端子で第二コア部を狭持する際にも、平板部と第三コア押さえ片及び第三位置ずれ防止片とが連結されていない状態で狭持することが可能となるため、容易に金属端子で第二コア部を狭持することができる。
【００１６】
また、第三被挟持面及び第四被挟持面は、第一脚部及び第二脚部が延出する方向に延び、金属端子には、平板部と第四コア押さえ片とに交わって接合されて第二スペース画成面に当接する第四位置ずれ防止片が設けられていることが好ましい。
【００１７】
第二コア部を狭持する部分である第四コア押さえ片は第四位置ずれ防止片と平板部とに連結されているため、拡開するのを抑制されている。相対する第三コア押さえ片も拡開するのを抑制されているため、金属端子を回路に電気的に接続した後に、三端子フィルタに応力が掛かったとしても、第一コア部と同様に、第二コア部から金属端子が外れるのを更に抑制し、三端子フィルタ全体として応力に対する耐久性が更に向上する。
【００１８】
また金属端子は、平板部の第四縁部と第四コア押さえ片の縁部とを連結する第四平板部押さえ片連結部と、第四コア押さえ片の縁部と第四位置ずれ防止片の縁部とを連結する第四押さえ片位置ずれ防止片連結部と、第四位置ずれ防止片の縁部と平板部の第四縁部とを連結する第四位置ずれ防止片平板部連結部とを有し、第四平板部押さえ片連結部、第四押さえ片位置ずれ防止片連結部、第四位置ずれ防止片平板部連結部は折り曲げ加工又は接合により構成されることが好ましい。
【００１９】
このような構成によると、第四コア押さえ片及び第四位置ずれ防止片を容易に構成することができる。また金属端子で第二コア部を狭持する際にも、平板部と第四コア押さえ片及び第四位置ずれ防止片とが連結されていない状態で狭持することが可能となるため、容易に金属端子で第二コア部を狭持することができる。
【発明の効果】
【００２０】
本発明の三端子フィルタによれば、チップ部品を保護すると共にコアの固定性を増して信頼性を高めた三端子フィルタを提供することができる。
【発明を実施するための最良の形態】
【００２１】
本発明の実施の形態による三端子フィルタについて図１から図４に基づき説明する。図１は三端子フィルタ１の平面方向斜視図、図２は三端子フィルタ１の組立状体を示した分解斜視図である。
【００２２】
図１、２に示されるように、三端子フィルタ１は、チップ部品２と、金属フレーム端子３と、第一コア４と、第二コア５と、金属端子６と、金属カバー７とから構成される。また、三端子フィルタ１は３．２（横幅）ｍｍ×１．６（縦幅）ｍｍ×２．１（高さ）ｍｍの大きさである。チップ部品２は、略直方体の形状をなしその長手方向両端部に外部電極２Ａ、２Ｂ（図３）を有する容量性素子（例えば、チップコンデンサ、チップバリスタ）である。
【００２３】
第一コア４は、フェライトや複合フェライト等により構成されており、図２に示されるように、第一面４１と、第二面４２と、第三面４３と、第四面４４と、第五面４５と、第六面４６とにより構成される。
【００２４】
第一面４１と第二面４２とは互いに平行な対向する面であり、第一面４１と第二面４２との間には、第一面４１側と第二面４２側とに開口をなす貫通孔４７が形成されている。また、第一面４１がチップ部品２を格納する後述のスペースを画成する第一スペース画成面となる。第三面４３と第四面４４とは互いに平行な対向する面であり、第二面４２と第三面４３とは略直角に交わっている。
【００２５】
第五面４５は、第四面４４と鋭角を成して交差する第一傾斜面４５Ａと、第一中央面４５Ｂと、第一傾斜面４５Ａと逆方向に傾斜し、第三面４３と鋭角を成して交差する第二傾斜面４５Ｃとにより構成されている。第六面４６は、第五面４５に対向し、かつ第五面４５と同様の構造をしており、第四面４４と鋭角を成して交差する第一傾斜面４６Ａと、第一中央面４６Ｂと、第一傾斜面４６Ａと逆方向に傾斜し、第三面４３と鋭角を成して交差する第二傾斜面４６Ｃとにより構成されている。この第二傾斜面４５Ｃと第二傾斜面４６Ｃとが略ハの字に配置されて後述の金属端子６によりそれぞれ狭持される箇所となる。第五面４５、第六面４６がそれぞれ第一被狭持面、第二被狭持面となる。
【００２６】
第二コア５は、第一コア４と同一素材であって、第一コア４の第一面４１に対して鏡面対称の構成であり、第一面５１と、第二面５２と、第三面５３と、第四面５４と、第五面５５と、第六面５６とにより構成され、第一面５１と第二面５２とにはそれぞれ貫通孔５７の一端と他端とが開口している。また、第一面５１はチップ部品２を格納する後述のスペースを画成する第二スペース画成面となる。第三面５３と第四面５４とは互いに平行な対向する面であり、第二面５２と第三面５３とは略直角に交わっている。
【００２７】
第五面５５は、第一傾斜面５５Ａと第一中央面５５Ｂと第二傾斜面５５Ｃとにより構成されており、第六面５６は、第一傾斜面５６Ａと第一中央面５６Ｂと第二傾斜面５６Ｃとにより構成される。この第二傾斜面５５Ｃ、第二傾斜面５６Ｃが後述の金属端子６によりそれぞれ狭持される箇所となり、第五面５５、第六面５６がそれぞれ第三被狭持面、第四被狭持面となる。
【００２８】
第一コア４の第一スペース画成面である第一面４１と第二コア５の第二スペース画成面である第一面５１とでチップ部品２用のスペースが画成される（図１）。そして第一コア４の第一面４１と第五面４５との交線と、第二コア５の第一面５１と第五面５５との交線とが、スペースの開口となる。
【００２９】
金属カバー７は、図１に示されるように、第一コア４の第四面４４と第二コア５の第四面５４とに跨って、第一コア４と第二コア５とを狭持する。図２に示されるように、金属カバー７は、第ｄ１辺と第ｄ１辺に略直交に延びる第ｄ２辺とを有し、第ｄ１辺と第ｄ２辺とを両端の辺とする平面部である板状部材７１を有している。板状部材７１の第ｄ１辺と第ｄ２辺とのそれぞれの一端側には第一カバー片部７２が設けられ、他端側には第二カバー片部７３が設けられている。
【００３０】
第一カバー片部７２は、第ｄ１辺より第ｄ１辺と略直交に延出されて板状部材７１と鋭角をなす第一押さえ片７２Ａと、第ｄ２辺より第ｄ２辺と略直交に延出されて板状部材７１と鋭角をなす第二押さえ片７２Ｂより構成されている。第二カバー片部７３は、第ｄ１辺より第ｄ１辺と略直交に延出されて板状部材７１と鋭角をなす第三押さえ片７３Ａと、第ｄ２辺より第ｄ２辺と略直交に延出されて板状部材７１と鋭角をなす第四押さえ片７３Ｂより構成されている。
【００３１】
第一押さえ片７２Ａと第二押さえ片７２Ｂとにより、第一コア４の第五面４５の第一傾斜面４５Ａと、第六面４６の第一傾斜面４６Ａとが狭持されている。同様に第三押さえ片７３Ａと第四押さえ片７３Ｂとにより、第二コア５の第五面５５の第一傾斜面５５Ａと、第六面５６の第一傾斜面５６Ａとが狭持されている。よって、第一コア４と第二コア５とは一体になり、これらカバー片部７３で狭持されている第四面４４側、第四面５４側が基端となり、第三面４３側、第三面５３側がそれぞれ第一脚部、第二脚部となる。
【００３２】
金属フレーム端子３は、その全表面がすず（Ｓｎ）メッキされた一枚の金属板が切り抜き、曲げ加工されて構成されており、チップ部品保有部３１、第一腕部３２、及び第二腕部３３を有している。チップ部品保有部３１は、略矩形状の接合部３１Ａと、接合部３１Ａの互いに対向する２辺から略垂直に延出される一対の第一壁部３１Ｂ及び第二壁部３１Ｃと、接合部３１Ａの別の互いに対向する２辺から略垂直に延出される一対の第一押さえ片３１Ｄとから構成される。第一腕部３２は、第一壁部３１Ｂの延出方向先端より略垂直に延出された第一部分３２Ａと、第一部分３２Ａ延出方向先端より略垂直に延出された第二部分３２Ｂと、題に部分３２Ｂ延出方向先端より略垂直に延出された第三部分３２Ｃとより略コの字形状に構成されている。第二腕部３３も同様に、第二壁部３１Ｃの延出方向先端より略垂直に延出された第一部分３３Ａと、これに続く第二部分３３Ｂ、第三部分３３Ｃより略コの字形状に構成されている。
【００３３】
図４に示されるように、第一コア４の貫通孔４７には第一腕部３２が挿通されている。そして第一面４１において貫通孔４７の開口部分第四面４４側に形成されている角部に、金属フレーム端子３の第一壁部３１Ｂと第一腕部３２の第一部分３２Ａとにより形成されている角部が当接している。第二面４２においては、貫通孔４７の開口部分第三面４３側に形成されている角部に、第一腕部３２の第一部分３２Ａと第二部分３２Ｂとにより形成されている角部が当接している。また第二面４２と第三面４３とが交わる角部には、第一腕部３２の第二部分３２Ｂと第三部分３２Ｃとにより形成されている角部が当接しており、更に第三部分３２Ｃが第三面４３に付勢して当接している。
【００３４】
第二コア５の貫通孔５７にも同様に第二腕部３３が挿通されている。第一面５１において貫通孔５７の開口部分第四面５４側に形成されている角部に、金属フレーム端子３の第二壁部３１Ｃと第二腕部３３の第一部分３３Ａとにより形成されている角部が当接している。第二面５２においては、貫通孔５７の開口部分第三面５３側に形成されている角部に、第二腕部３３の第一部分３３Ａと第二部分３３Ｂとにより形成されている角部が当接している。また第二面５２と第三面５３とが交わる角部には、第二腕部３３の第二部分３３Ｂと第三部分３３Ｃとにより形成されている角部が当接しており、更に第三部分３３Ｃが第三面５３に付勢して当接している。
【００３５】
これら角部による当接により、第一腕部３２と第一コア４、及び第二腕部３３と第二コア５とはそれぞれ一体になり、金属フレーム端子３と、第一コア４及び第二コア５との間にずれが生じ難くなっている。
【００３６】
金属フレーム端子３と第一コア４、第二コア５とが一体となった状態で、第一コア４と第二コア５との間のスペースにチップ部品２が配置されている（図１及び図２）。チップ部品２は外部電極２Ａが接合部３１Ａにハンダにより取り付けられて、第一壁部３１Ｂと第二壁部３１Ｃとの間に配置される。また外部電極２Ｂには金属端子６がハンダにより取り付けられ、この金属端子６は第一コア４と第二コア５とを一体に狭持する。
【００３７】
図２に示されるように、金属端子６は、第ｃ１辺と第ｃ１辺に略平行に延びる第ｃ２辺とを含む平板部６１と、第ｃ１辺と第ｃ２辺とのそれぞれの一端側に設けられた第一端子片部６２と、第ｃ１辺と第ｃ２辺とのそれぞれの他端側に設けられた第二端子片部６３と、第一端子片部６２と第二端子片部６３との間の平板部６１に設けられた一対の第二押さえ片６４とより構成されている。第一端子片部６２と第二端子片部６３とは、第一端子片部６２から第二端子片部６３へと向かう方向に直交する面に関して鏡面対称に形成されている。
【００３８】
第一端子片部６２は、第ｃ１辺の一端側部分より第ｃ１辺と略直交に平板部６１の一面側に延出され、平板部６１と第ｃ１辺における角度が鋭角をなす第一コア押さえ片６２Ａと、第ｃ２辺の一端側部分より第ｃ２辺と略平行に平板部６１の一面側に延出され、平板部６１と第ｃ２辺における角度が鋭角をなす第二コア押さえ片６２Ｂとを備えている。この平板部６１の第一縁部である第ｃ１辺と第一コア押さえ片６２Ａ縁部とを連結する箇所が第一平板部押さえ片連結部６２ａと規定され、平板部６１の第二縁部である第ｃ２辺と第二コア押さえ片６２Ｂ縁部とを連結する箇所が第二平板部押さえ片連結部６２ｂと規定されている。
【００３９】
第一コア押さえ片６２Ａの第二端子片部６３側からは第ｃ１辺と略直交し第二コア押さえ片６２Ｂ側方向に延出された第一位置ずれ防止片６２Ｃが設けられている。同様に第二コア押さえ片６２Ｂの第二端子片部６３側からは第ｃ２辺と略直交し第一コア押さえ片６２Ａ側方向に延出された第二位置ずれ防止片６２Ｄが設けられている。この第一コア押さえ片６２Ａ縁部と第一位置ずれ防止片６２Ｃとを連結する箇所が第一押さえ片ずれ防止片連結部６２ｃと規定され、第二コア押さえ片６２Ｂ縁部と第二位置ずれ防止片６２Ｄとを連結する箇所が第二押さえ片ずれ防止片連結部６２ｄと規定される。
【００４０】
第一ずれ防止片６２Ｃの先端付近は、平板部６１と略接触しており、この略接触する箇所には、接合部材であるハンダ６２Ｅ（第一ずれ防止片平板部連結部）が点付けされて第一位置ずれ防止片６２Ｃと平板部６１とを連結している。第二ずれ防止片６２Ｄの先端付近も平板部６１と略接触しており、同様にハンダ６２Ｆ（第二ずれ防止片平板部連結部）が点付けされて第二位置ずれ防止片６２Ｄと平板部６１とを連結している。
【００４１】
第二端子片部６３にも、第一端子片部６２と同様に、第三コア押さえ片６３Ａと第四コア押さえ片６３Ｂとがそれぞれ第ｃ１辺と第ｃ２片とに平行になるように平板部６１の一面側に延出されており、それぞれ平板部６１と鋭角をなしている。平板部６１の第三縁部である第ｃ１辺と第三コア押さえ片６３Ａ縁部とを連結する箇所が第三平板部押さえ片連結部６３ａと規定され、平板部６１の第四縁部である第ｃ２辺と第四コア押さえ片６３Ｂ縁部とを連結する箇所が第四平板部押さえ片連結部６３ｂと規定されている。
【００４２】
第三コア押さえ片６３Ａの第一端子片部６２側からは第ｃ１辺と略直交し第四コア押さえ片６３Ｂ側方向に延出された第三位置ずれ防止片６３Ｃが設けられている。同様に第四コア押さえ片６３Ｂの第一端子片部６２側からは第ｃ２辺と略直交し第三コア押さえ片６３Ａ側方向に延出された第四位置ずれ防止片６３Ｄが設けられている。この第三コア押さえ片６３Ａ縁部と第三位置ずれ防止片６３Ｃとを連結する箇所が第三押さえ片ずれ防止片連結部６３ｃと規定され、第四コア押さえ片６３Ｂ縁部と第四位置ずれ防止片６３Ｄとを連結する箇所が第四押さえ片ずれ防止片連結部６３ｄと規定される。
【００４３】
第三位置ずれ防止片６２Ｃの先端付近は、平板部６１と略接触しており、この略接触する箇所には、接合部材であるハンダ６３Ｅ（第三ずれ防止片平板部連結部）が点付けされて第三位置ずれ防止片６３Ｃと平板部６１とを連結している。第四ずれ防止片６３Ｄの先端付近も平板部６１と略接触しており、同様にハンダ６３Ｆ（第四ずれ防止片平板部連結部）が点付けされて第四位置ずれ防止片６３Ｄと平板部６１とを連結している。
【００４４】
また、第二押さえ片６４は、第一端子片部６２と第二端子片部６３との間の位置において平板部６１より、平板部６１の一面側に平板部６１と略垂直に延出されている。
【００４５】
金属端子６を第一コア４に取り付けた際には、図４に示されるように、第一コア押さえ片６２Ａと第二コア押さえ片６２Ｂとの間に第五面４５の第二傾斜面４５Ｃと第六面４６の第二傾斜面４６Ｃとが狭持される。この場合に、第一コア４の第三面４３の断面幅方向長さＬは、第一コア押さえ片６２Ａと第二コア押さえ片６２Ｂとの自由端側における開口幅ｌより大きくなっている。
【００４６】
第一コア押さえ片６２Ａと第二コア押さえ片６２Ｂとはそれぞれ第一位置ずれ防止片６２Ｃと第二位置ずれ防止片６２Ｄとを介して平板部６１に固定されている状態になっているため、その先端部分が現状の角度以上に拡開することが抑制されている。更に金属端子６に一端狭持された第一コア４は、狭持されている箇所である第三面４３付近の幅よりも、狭持している箇所である第一コア押さえ片６２Ａと第二コア押さえ片６２Ｂとの間の開口幅が小さいため、金属端子６から外れ難くなっている。
【００４７】
金属端子６の一対の第二押さえ片６４の間にはチップ部品２の外部電極２Ｂがハンダにより取り付けられている。よって、金属端子６を図示せぬ基板等に実装した後に、第一コア４及び第二コア５が押されたりしても、金属端子６と第一コア４及び第二コア５とが外れることは抑制される。また金属フレーム端子３は第一コア４及び第二コア５と一体となっているが、金属端子６が第一コア４及び第二コア５から外れることが抑制されているため、金属フレーム端子３と金属端子６との間に設けられているチップ部品２が、金属フレーム端子３又は金属端子６から外れることが押さえられている。
【００４８】
本発明による三端子フィルタは、上述した実施の形態に限定されず、特許請求の範囲に記載した範囲で種々の変形や改良が可能である。例えば、実施の形態においては、平板部とコア押さえ片との間及びコア押さえ片と位置ずれ防止片との間の連結部である平板部押さえ片連結部と押さえ片ずれ防止片連結部とは、平板部やコア押さえ片等を構成する金属板の一部を曲げ加工することにより構成しており、ずれ防止片平板部連結部は、接合部材であるハンダにより接合したが、これに限らず、平板部押さえ片連結部のみを接合部材により接合により連結させてもよい。また全ての連結部を接合により連結しても良い。
【００４９】
本実施の形態では、接合にハンダを用いたが、これに限らず溶接や樹脂接着を用いても良い。また、ハンダを用いた場合であるならば、チップ部品２を金属フレーム端子３や金属端子６に取り付けるのと同時にハンダ付けを行うことも可能である。具体的には、位置ずれ防止片と平板部との接合箇所にクリームハンダを塗布した後に、三端子フィルタ１全体を加熱してハンダを溶融し、その後冷却して固化させる。この方法ならば、金属端子６を第一コア４及び第二コア５に取り付ける際には未だ位置ずれ防止片と平板部とは接合されていないため、金属端子６は第一コア４及び第二コア５を容易に狭持することができる。また、コアは二分割のコアを用いたがこれに限らず、第一脚部と第二脚部とを備えた形状のコアであるならば一体のコアであっても良い。
【図面の簡単な説明】
【００５０】
【図１】本発明の実施の形態に係る三端子フィルタの平面斜視図。
【図２】本発明の実施の形態に係る三端子フィルタの分解斜視図。
【図３】図１におけるIII−III線に沿った断面図。
【図４】図１におけるIV−IV線にそった断面図。
【符号の説明】
【００５１】
１・・三端子フィルタ  ２・・チップ部品  ２Ａ・・外部電極  ２Ｂ・・外部電極
３・・金属フレーム端子  ３１・・チップ部品保有部  ３１Ａ・・接合部
３１Ｂ・・第一壁部  ３１Ｃ・・第二壁部  ３１Ｄ・・第一押さえ片
３２・・第一腕部  ３２Ａ・・第一部分  ３２Ｂ・・第二部分  ３３・・第二腕部
３２Ｃ・・第三部分  ３３Ａ・・第一部分  ３３Ｂ・・第二部分  ３３Ｃ・・第三部分
４・・第一コア  ４１・・第一面  ４２・・第二面  ４３・・第三面  ４４・・第四面
４５・・第五面  ４５Ａ・・第一傾斜面  ４５Ｂ・・第一中央面  ４５Ｃ・・第二傾斜面
４６・・第六面  ４６Ｂ・・第一中央面  ４６Ａ・・第一傾斜面  ４６Ｃ・・第二傾斜面
４７・・貫通孔
５・・第二コア  ５１・・第一面  ５２・・第二面  ５３・・第三面  ５４・・第四面
５５・・第五面  ５５Ａ・・第一傾斜面  ５５Ｂ・・第一中央面  ５５Ｃ・・第二傾斜面
５６・・第六面  ５６Ａ・・第一傾斜面  ５６Ｂ・・第一中央面  ５６Ｃ・・第二傾斜面
５７・・貫通孔
６・・金属端子  ６１・・平板部  ６２・・第一端子片部  ６２Ａ・・第一コア押さえ片
６２Ｂ・・第二コア押さえ片  ６２Ｃ・・第一位置ずれ防止片
６２Ｄ・・第一位置ずれ防止片  ６２Ｅ・・ハンダ  ６２Ｆ・・ハンダ
６２ａ・・第一平板部押さえ片連結部  ６２ｂ・・第二平板部押さえ片連結部
６２ｃ・・第一押さえ片ずれ防止片連結部  ６２ｄ・・第二押さえ片ずれ防止片連結部
６３・・第二端子片部  ６３Ａ・・第三コア押さえ片  ６３Ｂ・・第四コア押さえ片
６３Ｃ・・第三位置ずれ防止片  ６３Ｄ・・第四位置ずれ防止片  ６３Ｅ・・ハンダ
６３Ｆ・・ハンダ  ６３ａ・・第三平板部押さえ片連結部
６３ｂ・・第四平板部押さえ片連結部  ６２ｃ・・第三押さえ片ずれ防止片連結部
６２ｄ・・第四押さえ片ずれ防止片連結部  ６４・・第二押さえ片
７・・金属カバー  ７１・・板状部材  ７２・・第一カバー片部
７２Ａ・・第一押さえ片  ７２Ｂ・・第二押さえ片  ７３・・第二カバー片部
７３Ａ・・第三押さえ片  ７３Ｂ・・第四押さえ片
【図１】
2006262347.tif 000003
【図２】
2006262347.tif 000004
【図３】
2006262347.tif 000005
【図４】
2006262347.tif 000006